(57)【特許請求の範囲】
【請求項１】
ゲーム機の前扉が上部蝶番と下部蝶番を介して本体枠に対し開閉可能に装着され、該上部蝶番と下部蝶番の蝶番軸が本体枠の前面から前方に且つ本体枠の側端から内側に突き出して配置されるゲーム機の隙間閉鎖装置であって、
該本体枠の蝶番側の前面側部に沿って縦方向に固定される隙間閉鎖部本体と、
該前扉の蝶番側の背面側部に沿って隙間を閉じるように縦方向に取り付けられる長尺枠部材と、
を備え、
該隙間閉鎖部本体には横断面略コ字状で縦長の回動閉鎖部材が長手方向に沿った軸の回りで回動可能に軸支され、
該前扉を本体枠に対し閉じる際、該長尺枠部材が該前扉と共に回動し該回動閉鎖部材と係合して該回動閉鎖部材を閉鎖側に回動させ、該長尺枠部材と該回動閉鎖部材が当該両部材の縦方向の全長部分で当接して、該本体枠と該前扉間の蝶番側の隙間を閉鎖することを特徴とするゲーム機の隙間閉鎖装置。
【請求項２】
前記隙間閉鎖部本体の回動閉鎖部材は、横断面を略コ字状に形成され、前記長尺枠部材は、板状の取付板に横断面を略Ｌ字状とした係合板部を延設して形成され、前記前扉の閉鎖時に該長尺枠部材の係合板部が該回動閉鎖部材内に嵌入するように構成されたことを特徴とする請求項１記載のゲーム機の隙間閉鎖装置。
【請求項３】
前記隙間閉鎖部本体内に回動閉鎖部材を停止させるストッパ機構が設けられ、該ストッパ機構は、前記前扉の閉鎖時と開放時に、該回動閉鎖部材を所定の角度位置で節度感をもって停止させることを特徴とする請求項１または２記載のゲーム機の隙間閉鎖装置。
【請求項４】
前記回動閉鎖部材は、前記隙間閉鎖部本体の内側で、該隙間閉鎖部本体の長手方向に沿って支持された１本の支持軸によって、回動可能に軸支されたことを特徴とする請求項２または３記載のゲーム機の隙間閉鎖装置。
【発明の詳細な説明】
【技術分野】
【０００１】
本発明は、パチンコ機などのゲーム機における前扉（ガラス扉、前面枠などを含む）と前扉が開閉可能に装着される本体枠（中枠、筐体などを含む）との間に生じる隙間を閉鎖するゲーム機の隙間閉鎖装置に関する。
【背景技術】
【０００２】
例えば、パチンコ機の前面を形成する前扉は、近年、合成樹脂によりデザイン性の高い立体形状に形成されたものが多数製作されており、ガラス面を含む前扉の厚さが厚くなっている。このような前扉は、パチンコ機の本体枠に対し、着脱可能な固定部と可動部からなる上部蝶番と下部蝶番を介して、開閉可能に装着される。この上部蝶番と下部蝶番は、各々、１本の軸ピンとその軸ピンを受ける軸受部を可動部または固定部に着脱可能に設けて構成され、例えば、可動側である前扉の上部に上部蝶番の可動部が軸ピンを上向きに突設して取り付けられ、固定側の本体枠の上部に軸ピンを受ける軸受部を有した蝶番の固定部が固定される。また、下部蝶番として、可動側である前扉の下部に下部蝶番の可動部が軸受部を設けて取り付けられ、固定側の本体枠の下部に軸ピンを上向きに突設した蝶番の固定部が固定される。このような構造の蝶番は、下記特許文献１などで知られている。
【特許文献１】特開平９−４７５５５号公報
【発明の開示】
【発明が解決しようとする課題】
【０００３】
しかし、パチンコ機のようなゲーム機は、パチンコホールにおいて両側に玉貸機を挟んで隙間なく密に並設され、且つその前扉が上記のようにかなり厚く形成されているため、蝶番の枢軸（軸ピン）の位置を、前扉の蝶番側端部における最も背面側の角部に配置した場合、前扉を開いたとき、厚さの厚い前扉の一部が隣接する玉貸機に干渉してしまう。
【０００４】
このために、この種のゲーム機の蝶番は、その枢軸が、本体枠の前面から前方に突き出した位置で、且つ本体枠の側面から内側にオフセットした位置に配置されることとなる。しかるに、例えばパチンコ機の本体枠と同じ大きさの前面形状を持った厚さの厚い前扉を、上記のように内側にオフセットされた蝶番軸を介して開閉可能に取り付けた場合、その枢軸を中心に前扉を回動させると、前扉の蝶番側端部の背面側角部が本体枠の前面に当たり干渉してしまう。
【０００５】
このために、上記特許文献１に記載される上部蝶番と下部蝶番を使用するゲーム機では、通常、本体枠の前面の蝶番側端部と前扉の背面の蝶番側端部との間に隙間を設け、前扉の開閉時の本体枠との干渉を回避するようにしている。
【０００６】
このため、この種の蝶番により前扉を開閉可能に本体枠に装着したゲーム機では、本体枠に対し前扉を完全に閉鎖した状態においても、本体枠と前扉間の蝶番側端部に隙間が生じ、その隙間から針金などの不正器具が差し込まれると、不正行為が行われ易いという課題があった。
【０００７】
本発明は、上述の課題を解決するものであり、前扉の閉鎖時における前扉と本体枠（前面枠、中枠、筐体などを含む）間の蝶番側端部の隙間を、効果的に塞ぐことが可能なゲーム機の隙間閉鎖装置を提供することを目的とする。
【課題を解決するための手段】
【０００８】
本発明に係る請求項１のゲーム機の隙間閉鎖装置は、ゲーム機の前扉が上部蝶番と下部蝶番を介して本体枠に対し開閉可能に装着され、該上部蝶番と下部蝶番の蝶番軸が本体枠の前面から前方に且つ本体枠の側端から内側に突き出して配置されるゲーム機の隙間閉鎖装置であって、該本体枠の蝶番側の前面側部に沿って縦方向に固定される隙間閉鎖部本体と、該前扉の蝶番側の背面側部に沿って隙間を閉じるように縦方向に取り付けられる長尺枠部材と、を備え、該隙間閉鎖部本体には横断面略コ字状で縦長の回動閉鎖部材が長手方向に沿った軸の回りで回動可能に軸支され、該前扉を本体枠に対し閉じる際、該長尺枠部材が該前扉と共に回動し該回動閉鎖部材と係合して該回動閉鎖部材を閉鎖側に回動させ、該長尺枠部材と該回動閉鎖部材が当該両部材の縦方向の全長部分で当接して、該本体枠と該前扉間の蝶番側の隙間を閉鎖することを特徴とする。
【０００９】
この発明によれば、前扉を閉じると、前扉に取り付けられた長尺枠部材が、本体枠側の隙間閉鎖部本体の回動閉鎖部材に係合して、回動閉鎖部材を閉鎖方向に回動させ、長尺枠部材と回動閉鎖部材が両部材の縦方向の全長部分で当接して、本体枠と前扉間の蝶番側の隙間を閉鎖するので、蝶番軸が本体枠の前面から前方に且つ本体枠の側端から内側に突き出して配置されるゲーム機であっても、前扉の蝶番側に生じやすい隙間をなくし、その隙間から針金などの不正器具を差し込み行なわれる不正行為を防止することができる。
【００１０】
また、前扉の閉鎖時、隙間閉鎖部本体の回動閉鎖部材は長尺枠部材に係合して従動回動しながら閉鎖状態となるので、回動閉鎖部材や長尺枠部材に寸法誤差や取付誤差などがあっても、長尺枠部材が閉鎖部材に噛み付いて回動操作がロックされ或いは逆に隙間が生じたりする不具合はなく、良好に隙間を閉鎖して前扉を閉じることができる。
【００１１】
ここで、上記請求項１のゲーム機の隙間閉鎖装置において、上記隙間閉鎖部本体の回動閉鎖部材は、横断面を略コ字状に形成され、上記長尺枠部材は、板状の取付板に横断面を略Ｌ字状とした係合板部を延設して形成され、該前扉の閉鎖時に該長尺枠部材の係合板部が該回動閉鎖部材内に嵌入するように構成することができる。
【００１２】
この発明によれば、前扉を閉鎖したとき、長尺枠部材の係合板部が回動閉鎖部材内に嵌入されるので、前扉の蝶番側に生じやすい隙間を一層効果的に塞ぐことができる。
【００１３】
また、上記請求項１のゲーム機の隙間閉鎖装置において、上記隙間閉鎖部本体内に回動閉鎖部材を停止させるストッパ機構が設けられ、ストッパ機構は、前扉の閉鎖時と開放時に、回動閉鎖部材を所定の角度位置で、節度感をもって停止させるように構成することができる。
【００１４】
この発明によれば、前扉の閉鎖時と開放時において回動閉鎖部材が所定の角度位置で節度感をもって停止するため、隙間閉鎖部本体内で回動可能な回動閉鎖部材を閉鎖位置と開放位置でガタつきなく良好に保持することができる。
【００１５】
また、上記ゲーム機の隙間閉鎖装置において、上記回動閉鎖部材は、上記隙間閉鎖部本体の内側で、該隙間閉鎖部本体の長手方向に沿って支持された１本の支持軸によって、回動可能に軸支されるように構成することができる。
【００１６】
この発明によれば、回動閉鎖部材を隙間閉鎖部本体の内側に、支持軸を介して堅強に取り付けることができ、不正器具による強引なこじ開けなどを阻止することができる。
【発明の効果】
【００１７】
本発明のゲーム機の隙間閉鎖装置によれば、蝶番軸が本体枠の前面から前方に突き出し且つ本体枠の側端から内側にオフセットして配置されるゲーム機であっても、回動閉鎖部材により前扉の蝶番側に生じやすい隙間を塞ぎ、その隙間から針金などの不正器具を差し込み行なわれる不正行為を防止することができる。
【発明を実施するための最良の形態】
【００１８】
以下、本発明の一実施形態を図面に基づいて説明する。図１は隙間閉鎖装置１の隙間閉鎖部本体２の斜視図を示し、図２はその部分拡大斜視図を示し、図３、図４はその拡大断面図を示している。この隙間閉鎖装置１は、パチンコ機等のゲーム機の前扉（ガラス扉、前面枠などを含む）２１における本体枠（中枠、筐体などを含む）２０との隙間（蝶番側の隙間）を、前扉２１の閉鎖時に良好に塞ぐように構成され、本体枠２０の蝶番側の前側縁部と前扉２１の蝶番側の内側縁部に取り付けられて使用される。
【００１９】
隙間閉鎖装置１は、本体枠２０の蝶番側の前面側部に沿って縦方向に固定される隙間閉鎖部本体２と、前扉２１の蝶番側の背面側部に沿って隙間を閉じるように縦方向に取り付けられる長尺枠部材１０とから構成される。隙間閉鎖部本体２は、図１〜図５に示すように、横断面略コ字状で略チャンネル材状に形成された長尺の本体フレーム３を有し、本体フレーム３の内側に、１本の支持軸４が本体フレームの長手方向（上下方向）に沿って配設されている。
【００２０】
この支持軸４は、本体フレームの上端部に設けた軸支部３ａと下端部に設けた軸支部３ｂにより本体フレーム３内に支持され、この支持軸４により、長尺枠状の回動閉鎖部材５が長手方向に沿った軸（支持軸４）の回りで回動可能に軸支される。このような隙間閉鎖部本体２は、図１のように縦長に形成され、図８に示す如く、適用されるゲーム機の本体枠２０の内側左辺部と略同じ長さに形成される。なお、本体フレーム３の内側における後述のストッパ６に対応した位置に、図４，５に示す如く、半球状または半円柱状の凸部３ｃがストッパ機構の一部として突設されている。
【００２１】
隙間閉鎖部本体２内に回動可能に配設される回動閉鎖部材５は、図３などに示すように、横断面を略変形コ字状とした長尺の枠状に形成され、両側に、幅方向にくの字状に曲折された第１係合部５ｂと平板状の第２係合部５ｃとを設けて形成される。つまり、この回動閉鎖部材５は、後述の前扉２１側における長尺枠部材１０の係合板部１２を、第１係合部５ｂと第２係合部５ｃとの間に、嵌入可能に形成され、前扉２１の閉鎖時に、長尺枠部材１０の係合板部１２が回動閉鎖部材５内に嵌入したとき、係合板部１２の縁部が第２係合部５ｃの内側に係合し、回動閉鎖部材５を従動回動させるようになっている。
【００２２】
図１、図３に示すように、回動閉鎖部材５の内側には、上部と下部と中間部の３箇所に、軸受部５ａが、回動閉鎖部材５の曲折角部の一部を内側に切り起すように形成され、支持軸４がこの軸受部５ａと回動閉鎖部材５の内側角部との間に挿入され、支持軸４がその上部と下部を本体フレーム３の軸支部３ａ，３ｂに軸支されることにより、回動閉鎖部材５は、本体フレーム３の内側で所定の角度範囲内で回動可能に、支持軸４によって支持されている。
【００２３】
この回動閉鎖部材５は、前扉２１を本体枠２０に対し閉鎖したとき、長尺枠部材１０が前扉２１と共に回動し、回動閉鎖部材５と係合して、これを閉鎖側に回動させ、長尺枠部材１０の係合板部１２における幅方向の両側が、図１１のように、第１係合部５ｂと第２係合部５ｃの長尺部分で当接して、本体枠２０と前扉２１間の蝶番側の隙間を閉鎖する構造となっている。
【００２４】
また、この回動閉鎖部材５には、図１に示すように、その角部に設けた開口に嵌め込む形態で、ストッパ機構を構成するストッパ６が上部、下部、及び中間部の３箇所に嵌着されている。これらのストッパ６は、各々図４に示すように、合成樹脂により形成され、回動閉鎖部材５の角部の開口に挿入するように嵌め込まれ、ストッパ６の中央縦方向に支持軸４が縦に貫通する。ストッパ６は回動閉鎖部材５と共に支持軸４の回りを回動可能である。
【００２５】
各ストッパ６の背面側つまり本体フレーム３の内側角部に対向する側に、半球状または半円柱状の２個の凹部６ａ，６ｂが形成される。図４に示すように、一方の凹部６ａは、前扉２１の開放時に本体フレーム３側の凸部３ｃと嵌合する位置に形成され、他方の凹部６ｂは、図５のように、前扉２１の閉鎖時に本体フレーム３側の凸部３ｃと嵌合する位置に形成される。
【００２６】
このようなストッパ６の凹部６ａ，６ｂは、前扉２１を開放しまたは閉鎖したとき、回動閉鎖部材５を所定の開放位置または閉鎖位置でガタつきなく、節度感をもって停止させるために、設けられている。
【００２７】
前扉２１側に取り付けられる長尺枠部材１０は、図６に示すように、基本的には幅方向に段差を持った長尺の帯板状に形成され、帯板状の取付板１１には、複数の取付孔が形成され、その取付板の幅方向に拡幅した形態で、横断面を略Ｌ字状とした係合板部１２が延設されている。この長尺枠部材１０の長さは隙間閉鎖部本体２と略同じ長さに形成され、図１１のように、長尺枠部材１０の係合板部１２の幅は、前扉２１の閉鎖時に、回動閉鎖部材５内に密に嵌入可能な幅に形成されている。
【００２８】
上記構成の隙間閉鎖装置１の隙間閉鎖部本体２は、図８などに示すように、本体枠２０の内側に縦に取り付けられ、長尺枠部材１０は、その隙間閉鎖部本体２に対向した前扉２１の蝶番側の内側縁部に、取付板１１を用いて縦に取り付けられる。隙間閉鎖部本体２と長尺枠部材１０は、前扉２１を本体枠２０に対し閉鎖したとき、長尺枠部材１０の係合板部１２が隙間閉鎖部本体２の回動閉鎖部材５内に嵌入するように位置決めして固定される。
【００２９】
なお、前扉２１は、遊技盤の前面を覆うガラスを有した扉であるが、内側にガラス枠を有した前面枠とすることもできる。また、本体枠２０と前扉２１の間に中枠が装着され、前扉２１が中枠に対し閉じられる構造のゲーム機では、その中枠における蝶番側の内側縁部に、隙間閉鎖部本体２が取り付けられる。
【００３０】
前扉２１は、図７、８に示すように、上部蝶番１５と下部蝶番１６を介して本体枠２０に対し開閉可能に装着され、上部蝶番１５と下部蝶番１６の上蝶番軸１７と下蝶番軸１８は、本体枠２０の前面から前方に且つ本体枠２０の側端から内側に突き出して配置され、図１０のように、厚さの厚い前扉２１であっても、隣接する玉貸機などへの干渉を回避している。このため、隙間閉鎖装置１を取り付けない場合、ゲーム機の本体枠２０と前扉２１間における蝶番側縁部の干渉を避けるために、その間に隙間が発生する。
【００３１】
しかし、上記構成の隙間閉鎖装置１を装着したゲーム機は、前扉２１を本体枠２０に対し閉じると、図１０のように、前扉２１に取り付けられた長尺枠部材１０が本体枠２０側の隙間閉鎖部本体２の回動閉鎖部材５に係合して、回動閉鎖部材５を図１０の時計方向（閉鎖方向）に従動回動させる。そして、前扉２１が完全に閉鎖されると、図１１のように、長尺枠部材１０の係合板部１２が回動閉鎖部材５の内側の嵌合された状態となる。
【００３２】
つまり、その係合板部１２の一方の端部が回動閉鎖部材５の第１係合部５ｂの内側に当接し、係合板部１２の他方の端部が回動閉鎖部材５の第２係合部５ｃの内側に当接した状態となって、本体枠２０と前扉２１間の蝶番側の隙間は閉鎖される。このとき、図５に示すように、ストッパ６の凹部６ｂが本体フレーム３の凸部３ｃに係合し、回動閉鎖部材５は節度感をもって停止し、その閉鎖状態を保持する。
【００３３】
一方、閉鎖状態の前扉２１を開くと、図１０に示すように、長尺枠部材１０が前扉２１の開動作と共に蝶番軸を中心に回動し、このとき、その係合板部１２が図１０の左側に移動し、回動閉鎖部材５がその係合板部１２に従動して反時計方向に回動し、図１０の開放位置となる。このとき、図４に示すように、ストッパ６の凹部６ａが本体フレーム３の凸部３ｃに係合し、回動閉鎖部材５は節度感をもって開放位置で停止しその態を保持する。このあと、長尺枠部材１０は前扉２１の開放動作と共に、隙間閉鎖部本体２から離れることとなる。
【００３４】
このように、上部蝶番１５と下部蝶番１６の上下蝶番軸１７，１８が本体枠２０の前面から前方に且つ本体枠２０の側端から内側に突き出して配置されるゲーム機であっても、前扉２１の蝶番側に生じる隙間を閉鎖し、隙間から針金などの不正器具を差し込み行なわれる不正行為を防止することができる。
【００３５】
なお、上記実施形態では、ストッパ機構として、ストッパ６に凹部６ａ，６ｂを設け、本体フレーム３側に凸部３ｃを設けたが、反対に、ストッパに凸部を設け、本体フレーム側にその凸部と係合可能な凹部を設けることもできる。
【図面の簡単な説明】
【００３６】
【図１】本発明の一実施形態を示す隙間閉鎖装置の隙間閉鎖部本体の斜視図である。
【図２】同隙間閉鎖部本体の部分拡大斜視図である。
【図３】図２のIII-III断面図である。
【図４】図２のIV-IV断面図である。
【図５】回動閉鎖部材を閉鎖位置に回動させた状態の図４に対応した断面図である。
【図６】長尺枠部材の斜視図である。
【図７】隙間閉鎖装置を装着したゲーム機の、前扉を閉鎖した状態の斜視図である。
【図８】同ゲーム機の前扉を開放した状態の斜視図である。
【図９】同ゲーム機の平面図である。
【図１０】前扉を開くまたは閉じる際の隙間閉鎖装置の断面説明図である。
【図１１】前扉を閉じた状態の隙間閉鎖装置の断面説明図である。
【符号の説明】
【００３７】
１      隙間閉鎖装置
２      隙間閉鎖部本体
３      本体フレーム
３ａ    軸支部
３ｂ    軸支部
３ｃ    凸部
４      支持軸
５      回動閉鎖部材
５ａ    軸受部
５ｂ    第１係合部
５ｃ    第２係合部
６      ストッパ
６ａ    凹部
６ｂ    凹部
１０    長尺枠部材
１１    取付板
１２    係合板部
１５    上部蝶番
１６    下部蝶番
１７    上蝶番軸
１８    下蝶番軸
２０    本体枠
２１    前扉
【図１】
0005065164.tif 000002
【図２】
0005065164.tif 000003
【図３】
0005065164.tif 000004
【図４】
0005065164.tif 000005
【図５】
0005065164.tif 000006
【図６】
0005065164.tif 000007
【図７】
0005065164.tif 000008
【図８】
0005065164.tif 000009
【図９】
0005065164.tif 000010
【図１０】
0005065164.tif 000011
【図１１】
0005065164.tif 000012